(57)【要約】  隣接する壁が左右どちら側にあっても使い勝手が良く、冷却効率が高い誘導加熱調理器を提供する。  筐体２の下部の左右方向の略中央に加熱調理用のロースター１１を設け、複数の誘導加熱コイル８やヒーター９を搭載する中位分割平面板４をトッププレート３とロースター１１の間に設け、前面側に吸気口１４を形成し、筐体２の後部に下方から上方へ冷却風が通風するための上下連通口を形成した冷却風路１２をロースター１１の左右両側にそれぞれ設けた。
2008084648.tif 000002
【特許請求の範囲】
【請求項１】
筐体と、
この筐体の下部の、左右方向の略中央に設けられた加熱調理用のロースターと、
前記筐体の上部に設けられたトッププレートと、
このトッププレートと前記ロースターの間に設けられ、複数の誘導加熱コイルを搭載する中位分割平面板と、
前記ロースターの左右両側にそれぞれ設けられ、前面側に吸気口をそれぞれ形成し、前記筐体の後部に下方から上方へ冷却風が通風するための上下連通口を形成した冷却風路と、を備え、
前記ロースターを断熱構造としたことを特徴とする誘導加熱調理器。
【請求項２】
前記ロースターを、二重構造としたことを特徴とする請求項１記載の誘導加熱調理器。
【請求項３】
前記ロースターの周囲に断熱材を設けたことを特徴とする請求項１記載の誘導加熱調理器。
【請求項４】
前記風路に上面が平らで縦断面の形状が逆Ｕ字状のダクトを設け、このダクトの上面に制御用の基板を取り付けたことを特徴とする請求項１〜３のいずれかに記載の誘導加熱調理器。
【請求項５】
前記風路に縦断面の形状がＵ字状のダクトを設け、このダクトの上部を覆うように制御用の基板を取り付けたことを特徴とする請求項１〜３のいずれかに記載の誘導加熱調理器。
【請求項６】
前記風路に縦断面の形状がＨ字状の一体型ダクトを設け、このダクトの上部を覆うように制御用の基板を取り付けたことを特徴とする請求項１〜３のいずれかに記載の誘導加熱調理器。
【請求項７】
前記筐体の後部に吸引ファンを備え、
前記ロースターの両側から吸引した冷却風を前記吸引ファンで集めた後、前記上下連通口にこれらの冷却風を分配通風させたことを特徴とする請求項１〜６のいずれかに記載の誘導加熱調理器。
【請求項８】
ファンを左右各風路中にそれぞれ設けたことを特徴とする請求項１〜６のいずれかに記載の誘導加熱調理器。
【請求項９】
前記風路は、前記筐体の後部に近づくほどこの風路の断面積を狭める傾斜板を備えたことを特徴とする請求項１〜８のいずれかに記載の誘導加熱調理器。
【請求項１０】
前記風路の筐体後部の上下連通孔と連通する部分に滑らかな曲面を形成したことを特徴とする請求項１〜９のいずれかに記載の誘導加熱調理器。
【請求項１１】
前記トッププレートと前記中位分割平面板との間の距離を所定の大きさに狭め、前記風路の高さを前記狭めた大きさ分大きくしたことを特徴とする請求項１〜１０のいずれかに記載の誘導加熱調理器。
【発明の詳細な説明】
【技術分野】
【０００１】
本発明は、複数の誘導加熱コイル、インバータ回路を含むプリント基板ユニット、ロースター及び電装品を備え、これらを少なくとも１台のファンで冷却する誘導加熱調理器に関する。
【背景技術】
【０００２】
従来、複数の誘導加熱コイル及びこれらを制御するインバータユニットを備えた上部ユニットと、ロースター及び電装品を備え、前記上部ユニットの下方に配設された下部ユニットとを備え、１台のファンモータによって駆動される冷却ファンの送風作用により、前記上部ユニットのインバータユニットと前記下部ユニットの電装品とを並列に冷却する誘導加熱調理器が知られている。（例えば、特許文献１参照）【０００３】
しかしながら、上記特許文献１で示される従来の誘導加熱調理器では、基板を配置するスペースを大きく確保する必要があるため、ロースターを真ん中に配置することができず、左右どちらかに寄せる必要があり、また、冷却のための新鮮な空気もキッチン面（上面）から吸い込む構成となっていた。この場合、例えばロースターが左に配置されている加熱調理器を壁が左に接近した位置に設置される場合には、操作上使い勝手が良くないという問題があった。【０００４】
この問題を解決する方法として、ロースターを略中央に配置し、このロースターを挟んで制御装置を左右略対称の位置に配置した誘導加熱調理器が知られている。（例えば、特許文献２参照）
しかしながら、この特許文献２で示される従来の誘導加熱調理器では、ロースターは金属のケースで囲まれているだけであり、前面から吸い込んだ空気が、ロースターを挟んで左右略対称の位置に配置されている制御装置や加熱コイルを通過する前にロースターの上記金属表面によって温められるので、制御装置や加熱コイルを十分に冷却できず、冷却効率が低くなるという問題があった。【０００５】
【特許文献１】特開平１１−８７０３８号公報（図１、段落００２７〜００２９）
【特許文献２】特開２００２−３１３５３号公報（図１、段落００１４）
【発明の開示】
【発明が解決しようとする課題】
【０００６】
以上のように、上記特許文献１で示される従来の誘導加熱調理器では、ロースターを左右どちらかに寄せる必要があり、操作上使い勝手が良くないという問題があった。【０００７】
また、上記特許文献２で示される従来の誘導加熱調理器では、吸気がロースターによって事前に温められるため、冷却効率が悪いという問題があった。
【課題を解決するための手段】
【０００８】
本発明は上記の問題を解決するために為されたものであり、主たる目的は、隣接する壁が左右どちら側にあっても使い勝手が良く、冷却効率が高い誘導加熱調理器を提供することにある。【０００９】
本発明に係る誘導加熱調理器は、筐体下部の左右方向の略中央に加熱調理用のロースターを設け、複数の誘導加熱コイルを搭載する中位分割平面板をトッププレートとロースターの間に設け、前面側に吸気口を形成し、筐体の後部に下方から上方へ冷却風が通風するための上下連通口を形成した冷却風路をロースターの左右両側にそれぞれ設け、ロースターを断熱構造としたものである。
【発明の効果】
【００１０】
本発明によれば、ロースターを筐体下部の左右方向の略中央に配置したので、加熱調理器に隣接する壁が左右どちら側にあっても使い勝手が良く、また、ロースターを断熱構造としたので、吸気が加熱コイルに到達する前に温められることがなく、冷却効率が良い。
【図面の簡単な説明】
【００１１】
【図１】この発明の実施の形態１における誘導加熱調理器の全体構成を示す分解斜視図である。
【図２】この発明の実施の形態１における誘導加熱調理器１の縦断面図（右側面図）である。
【図３】この発明の実施の形態１における誘導加熱調理器のトッププレートと前面パネルを取り外した筐体を示す斜視図である。
【図４】この発明の実施の形態１における誘導加熱調理器のトッププレートと前面パネルを取り外した筐体を示す平面図である。
【図５】この発明の実施の形態２における誘導加熱調理器の斜視図である。
【図６】この発明の実施の形態２における誘導加熱調理器１の縦断面図（右側面図）である。
【図７】この発明の実施の形態２における誘導加熱調理器１の右上部の一部を切り欠いた斜視図である。
【図８】この発明の実施の形態３における誘導加熱調理器の斜視図である。
【図９】この発明の実施の形態４における誘導加熱調理器の斜視図である。
【図１０】この発明の実施の形態５における誘導加熱調理器の斜視図である。
【図１１】この発明の実施の形態６における誘導加熱調理器の側面断面図である。
【符号の説明】
【００１２】
１  誘導加熱調理器、２  筐体、３  トッププレート、４  中位平面分割板、５  操作用パネル、６  ガラス板、７  排気口、８  加熱コイル、９  ヒーター、１０  ガイド板、１１  ロースター、１２  風路、１３  ドアの取手、１４  吸気口、１５  化粧パネル、１６  ファン、１７  吸気口、１８  空気層、１９  断熱材、２０  一体型ダクト（逆Ｕ字状）、２１  制御用基板、２２  一体型ダクト（Ｕ字状）、２３ａ、ｂ  ファン、２４  傾斜板。
【発明を実施するための最良の形態】
【００１３】
実施の形態１．
図１は、この発明の実施の形態１における誘導加熱調理器の全体構成を示す分解斜視図であり、図２は上記誘導加熱調理器１の縦断面図（右側面図）である。次に、誘導加熱調理器の構成を図１と図２を用いて説明する。誘導加熱調理器１は、本体の筐体２と、筐体２の上部に設けられたトッププレート３と、トッププレートの下部に設けられた中位平面分割板４とから構成されている。トッププレート３の前面には加熱コイルやロースターの操作用パネル５と、表面にＩＨ調理用鍋のセット位置が示されたガラス板６と後部に設けられた排気口７とで構成されている。また、中位平面分割板４には、左右に１つずつ設けられた加熱コイル８と、後部に設けられたヒーター９と、加熱コイル８に風を導くガイド板１０を備えている。また、筐体２には、略中央に設けられたロースター１１と、ロースター１１の左右に設けられた風路１２とを備え、ロースター１１の前面には、ドアの取手１３と左右の風路１２の吸気口１４に設けられ、加熱コイルの操作スイッチを含む化粧パネル１５から構成されている。また、図２に示すように、筐体後部の中位平面分割板４の下部かつ上から見て中央付近にファン１６が備えられている。【００１４】
また、図３は、トッププレートと前面パネルを取り外した筐体を示す斜視図であり、同時に空気の流れを示している。次に、空気の流れについて説明する。また、図４は図３の構成を示す平面図であり、同時に空気の流れを示している。図４において、筐体後部の左右のハッチングで示した部分は吸気口１７である。次に、空気の流れについて図３と図４を用いて説明する。ファン１６の吸引力によって前面下部の左右の吸気口１４から吸い込まれた空気は、左右の風路１２を太い白抜きの矢印に従って筐体下部の後部まで導かれ、この後、筐体２の後部壁面に沿って左右に分かれたまま上昇する。中位平面分割板４より上に昇り吸気口１７を通過した空気流は吸気口１７からガイド板１０によって前方へ折り曲げられ、それぞれ、前方に設けられた加熱コイル８を通過して加熱コイル８を冷却する。加熱コイル８を通過した空気は加熱コイル８の外周に沿って外側から回り込んで前方中央部に集まり、この後、後方のヒーター９に向けて流れ込んでヒーター９を冷却する。この後、ヒーター９を冷却した空気は排気口７から上方外部へ排出される。【００１５】
なお、波線で示すように、ロースター１１を二重構造とすることによりロースター１１と風路１２との間に断熱効果を持つ空気層１８を介在させることになる。従って、吸気口１４から風路１２に入った空気は、ロースターの側面を通過している間、調理庫からの伝熱の影響を受けにくく温度が上昇しないので、加熱コイル８やヒーター９を効率良く冷却することが可能である。また、調理庫からの伝熱を抑えることができるので、耐熱部品を使用する必要がなく安価に構成することができる。【００１６】
また、ＩＨ加熱調理器の高さは２１０ｍｍモジュールであるが、加熱コイル８やヒーター９が搭載されている中位平面分割板４とトッププレートとの間の間隔を従来よりも狭く配置するようにした。これにより、その分下部風路の高さをより大きく確保することができ、吸気口もこれに対応して大きく確保することで、大量の外気を吸入することができ、冷却効率の向上を図ることができる。【００１７】
また、調理庫の両側から吸入した冷却風を１つのファンで吸引するので、風路毎にファンを設ける必要がなく、コストを抑えることができる。【００１８】
実施の形態２．
図５は、この発明の実施の形態２における誘導加熱調理器の斜視図であり、同時に空気の流れを示している。また、図６は図２において空気の流れを追加した図である。また、図７は図５の右上部の一部を切り欠いた図である。空気の流れについては実施の形態１と同様であるため、説明を省略する。次に、この実施の形態２の構成について図５および図７を用いて説明する。ロースター１１を左右両面および上面に発砲スチロールなどの断熱材１９で覆い風路１２と断熱を図ったものである。この場合、空気よりも断熱効果が大きいので、加熱コイル８やヒーター９の冷却効率がさらに向上するとともに耐熱部品を使用する必要がなく安価に構成することができる。【００１９】
実施の形態３．
図８は、この発明の実施の形態３における誘導加熱調理器の斜視図であり、同時に空気の流れを示している。空気の流れについては実施の形態１と同様である。図８に示すように、左右の風路１２には、下に開口した凹形状（縦断面の形状が逆Ｕ字状）とした一体型ダクト２０が設けられており、このダクト２０により、吸気口１４から流入した外気は効率良く後部に導かれる。また、ダクト２０の上部にロースター１１の制御や電源制御を行う制御用基板２１を搭載することで、ダクト２０の上方の空間を無駄なく利用することができる。【００２０】
実施の形態４．
図９は、この発明の実施の形態４における誘導加熱調理器の斜視図であり、同時に冷却風の流れを示している。空気の流れについては実施の形態１と同様である。図９に示すように、図８とダクトの構成を除いて同じ構成である。相違点について説明する。図８では、逆Ｕ字状のダクトの上に制御用基板２１を搭載していたが、ロースター１１の制御や電源制御を行う制御用基板２１を搭載するダクトを凹形状（縦断面の形状がＵ字状）あるいは縦断面の形状をＨ字状とした一体型ダクト２２に置き換えたものである。制御用基板２１は前記一体型ダクトの上面を覆うように配置され、一体型ダクト２２の両壁の上面と制御用基板２１の対応部分とをネジやリベットなどで固定する。このような構成により、空気の流れによる冷却効率は実施の形態３と実質同様であり、制御用基板２１の裏に冷却風が接するので制御用基板２１の冷却効率がさらに向上する。【００２１】
実施の形態５．
図１０はこの発明の実施の形態５における誘導加熱調理器の斜視図であり、同時に空気の流れを示している。実施の形態１と異なる点について説明する。図１０に示すように、左右の吸気口１４に小型のファン２３ａ，２３ｂをそれぞれ取り付けたものである。これにより筐体２の後部に大きなファンを設ける必要がなくなる。また、左右のファンは独立に動作させることができるので、一方の加熱コイルを使用しない場合には対応するファンを連動して停止させるようにすれば、冷却効率を損なわず、省電力を図ることが可能であり、ファンの回転によって発生する騒音も少なくすることができる。【００２２】
実施の形態６．
図１１はこの発明の実施の形態６における誘導加熱調理器の側面断面図であり、図に示すように風路１２に傾斜板２４を設け、風路１２が奥に進むに従って、狭まるように構成したものである。このように構成することで、空気が奥に進むに従って空気流の速度が高速になり、最高速度の風が加熱コイル８やヒーター９に効率良く供給されるので冷却に寄与しない無駄な風が少なくなり、冷却効率が向上する。【００２３】
なお、風路の後部の壁面と床面との境を曲面に構成することで、圧力損失を減らせるので、最高速度を維持することが可能になり、冷却効率を向上させることができることはいうまでもない。
【図１】
2008084648.tif 000003
【図２】
2008084648.tif 000004
【図３】
2008084648.tif 000005
【図４】
2008084648.tif 000006
【図５】
2008084648.tif 000007
【図６】
2008084648.tif 000008
【図７】
2008084648.tif 000009
【図８】
2008084648.tif 000010
【図９】
2008084648.tif 000011
【図１０】
2008084648.tif 000012
【図１１】
2008084648.tif 000013
【手続補正書】
【提出日】平成21年5月20日(2009.5.20)
【手続補正１】
【補正対象書類名】特許請求の範囲
【補正対象項目名】全文
【補正方法】変更
【補正の内容】
【特許請求の範囲】
【請求項１】
筐体と、
この筐体の下部の、左右方向の略中央に設けられた加熱調理用のロースターと、
前記ロースターの左右両側にそれぞれ設けられ、前面側に吸気口をそれぞれ形成し、前記筐体の後部に下方から上方へ冷却風が通過するための上下連通口を形成した冷却風路と、
前記筐体の上部に設けられたトッププレートと、
このトッププレートと前記ロースターの間に設けられ、複数の誘導加熱コイルを搭載するとともに、前記冷却風路からの風を前記誘導加熱コイルへ導くガイド板を前記冷却風路の出口にそれぞれ設けた中位分割平面板と、
前記筐体の後部の左右方向の略中央に形成された排気口と、
前記排気口にあるいは前記左右の吸気口のそれぞれに設けられ、前記ロースター内の空気を前記排気口から排出するファンと、を備え、
前記ファンの吸引力によって前記吸気口から前記ロースターと筐体の左右両側壁との間の風路に沿って吸入された風が後方で前記中位分割平面板と前記筐体の天面との間の空間である上段へ上昇し、上段では前記ガイド板により前記筐体の左右両側壁に沿って前方へ進み、その後、上段前面側で左右の略中央に集められた後、左右の略中央の空間に沿って後方へ導かれ、前記排気口から外部へ排出されることを特徴とする誘導加熱調理器。
【請求項２】
前記ロースターを断熱構造としたことを特徴とする請求項１記載の誘導加熱調理器。
【請求項３】
前記ロースターを、二重構造としたことを特徴とする請求項２記載の誘導加熱調理器。
【請求項４】
前記ロースターの周囲に断熱材を設けたことを特徴とする請求項２記載の誘導加熱調理器。
【請求項５】
前記風路に上面が平らで縦断面の形状が逆Ｕ字状のダクトを設け、このダクトの上面に制御用の基板を取り付けたことを特徴とする請求項１〜４のいずれかに記載の誘導加熱調理器。
【請求項６】
前記風路に縦断面の形状がＵ字状のダクトを設け、このダクトの上部を覆うように制御用の基板を取り付けたことを特徴とする請求項１〜４のいずれかに記載の誘導加熱調理器。
【請求項７】
前記風路に縦断面の形状がＨ字状の一体型ダクトを設け、このダクトの上部を覆うように制御用の基板を取り付けたことを特徴とする請求項１〜４のいずれかに記載の誘導加熱調理器。
【請求項８】
前記筐体の後部に吸引ファンを備え、
前記ロースターの両側から吸引した冷却風を左右の前記上下連通口に分配通風させた後、前記吸引ファンで集めることを特徴とする請求項１〜７のいずれかに記載の誘導加熱調理器。
【請求項９】
前記風路は、前記筐体の後部に近づくほどこの風路の断面積を狭める傾斜板を備えたことを特徴とする請求項１〜８のいずれかに記載の誘導加熱調理器。
【請求項１０】
前記風路の筐体後部の上下連通孔と連通する部分に滑らかな曲面を形成したことを特徴とする請求項１〜９のいずれかに記載の誘導加熱調理器。
【請求項１１】
前記中位分割平面板の高さを高くして前記トッププレートと前記中位分割平面板との間の距離を所定の大きさに狭め、前記狭めた大きさ分前記風路の高さを大きくしたことを特徴とする請求項１〜１０のいずれかに記載の誘導加熱調理器。
【手続補正２】
【補正対象書類名】明細書
【補正対象項目名】全文
【補正方法】変更
【補正の内容】
【発明の詳細な説明】
【技術分野】
【０００１】
本発明は、複数の誘導加熱コイル、インバータ回路を含むプリント基板ユニット、ロースター及び電装品を備え、これらを少なくとも１台のファンで冷却する誘導加熱調理器に関する。
【背景技術】
【０００２】
従来、複数の誘導加熱コイル及びこれらを制御するインバータユニットを備えた上部ユニットと、ロースター及び電装品を備え、前記上部ユニットの下方に配設された下部ユニットとを備え、１台のファンモータによって駆動される冷却ファンの送風作用により、前記上部ユニットのインバータユニットと前記下部ユニットの電装品とを並列に冷却する誘導加熱調理器が知られている。（例えば、特許文献１参照）
【０００３】
しかしながら、上記特許文献１で示される従来の誘導加熱調理器では、基板を配置するスペースを大きく確保する必要があるため、ロースターを真ん中に配置することができず、左右どちらかに寄せる必要があり、また、冷却のための新鮮な空気もキッチン面（上面）から吸い込む構成となっていた。この場合、例えばロースターが左に配置されている加熱調理器を壁が左に接近した位置に設置される場合には、操作上使い勝手が良くないという問題があった。
【０００４】
この問題を解決する方法として、ロースターを略中央に配置し、このロースターを挟んで制御装置を左右略対称の位置に配置した誘導加熱調理器が知られている。（例えば、特許文献２参照）
しかしながら、この特許文献２で示される従来の誘導加熱調理器では、ロースターは金属のケースで囲まれているだけであり、前面から吸い込んだ空気が、ロースターを挟んで左右略対称の位置に配置されている制御装置や加熱コイルを通過する前にロースターの上記金属表面によって温められるので、制御装置や加熱コイルを十分に冷却できず、冷却効率が低くなるという問題があった。
【０００５】
【特許文献１】特開平１１−８７０３８号公報（図１、段落００２７〜００２９）
【特許文献２】特開２００２−３１３５３号公報（図１、段落００１４）
【発明の開示】
【発明が解決しようとする課題】
【０００６】
以上のように、上記特許文献１で示される従来の誘導加熱調理器では、ロースターを左右どちらかに寄せる必要があり、操作上使い勝手が良くないという問題があった。
【０００７】
また、上記特許文献２で示される従来の誘導加熱調理器では、吸気がロースターによって事前に温められるため、冷却効率が悪いという問題があった。
【課題を解決するための手段】
【０００８】
本発明は上記の問題を解決するために為されたものであり、主たる目的は、隣接する壁が左右どちら側にあっても使い勝手が良く、冷却効率が高い誘導加熱調理器を提供することにある。
【０００９】
本発明に係る誘導加熱調理器は、筐体と、この筐体の下部の、左右方向の略中央に設けられた加熱調理用のロースターと、前記ロースターの左右両側にそれぞれ設けられ、前面側に吸気口をそれぞれ形成し、前記筐体の後部に下方から上方へ冷却風が通過するための上下連通口を形成した冷却風路と、前記筐体の上部に設けられたトッププレートと、このトッププレートと前記ロースターの間に設けられ、複数の誘導加熱コイルを搭載するとともに、前記冷却風路からの風を前記誘導加熱コイルへ導くガイド板を前記冷却風路の出口にそれぞれ設けた中位分割平面板と、前記筐体の後部の左右方向の略中央に形成された排気口と、前記排気口にあるいは前記左右の吸気口のそれぞれに設けられ、前記ロースター内の空気を前記排気口から排出するファンと、を備え、前記ファンの吸引力によって前記吸気口から前記ロースターと筐体の左右両側壁との間の風路に沿って吸入された風が後方で前記中位分割平面板と前記筐体の天面との間の空間である上段へ上昇し、上段では前記ガイド板により前記筐体の左右両側壁に沿って前方へ進み、その後、上段前面側で左右の略中央に集められた後、左右の略中央の空間に沿って後方へ導かれ、前記排気口から外部へ排出されるものである。
【発明の効果】
【００１０】
本発明によれば、ロースターを筐体下部の左右方向の略中央に配置したので、加熱調理器に隣接する壁が左右どちら側にあっても使い勝手が良く、また、ロースターの左右両側にそれぞれ設けられ、前面側に吸気口をそれぞれ形成し、前記筐体の後部に下方から上方へ冷却風が通過するための上下連通口を形成した冷却風路と、前記筐体の上部に設けられたトッププレートと、このトッププレートと前記ロースターの間に設けられ、複数の誘導加熱コイルを搭載するとともに、前記冷却風路からの風を前記誘導加熱コイルへ導くガイド板を前記冷却風路の出口にそれぞれ設けた中位分割平面板と、前記筐体の後部の左右方向の略中央に形成された排気口と、前記排気口にあるいは前記左右の吸気口のそれぞれに設けられ、前記ロースター内の空気を前記排気口から排出するファンと、を備え、前記ファンの吸引力によって前記吸気口から前記ロースターと筐体の左右両側壁との間の風路に沿って吸入された風が後方で前記中位分割平面板と前記筐体の天面との間の空間である上段へ上昇し、上段では前記ガイド板により前記筐体の左右両側壁に沿って前方へ進み、その後、上段前面側で左右の略中央に集められた後、左右の略中央の空間に沿って後方へ導かれ、前記排気口から外部へ排出されるので、冷却効率が良い。
【発明を実施するための最良の形態】
【００１１】
実施の形態１．
図１は、この発明の実施の形態１における誘導加熱調理器の全体構成を示す分解斜視図であり、図２は上記誘導加熱調理器１の縦断面図（右側面図）である。次に、誘導加熱調理器の構成を図１と図２を用いて説明する。誘導加熱調理器１は、本体の筐体２と、筐体２の上部に設けられたトッププレート３と、トッププレートの下部に設けられた中位平面分割板４とから構成されている。トッププレート３の前面には加熱コイルやロースターの操作用パネル５と、表面にＩＨ調理用鍋のセット位置が示されたガラス板６と後部に設けられた排気口７とで構成されている。また、中位平面分割板４には、左右に１つずつ設けられた加熱コイル８と、後部に設けられたヒーター９と、加熱コイル８に風を導くガイド板１０を備えている。また、筐体２には、略中央に設けられたロースター１１と、ロースター１１の左右に設けられた風路１２とを備え、ロースター１１の前面には、ドアの取手１３と左右の風路１２の吸気口１４に設けられ、加熱コイルの操作スイッチを含む化粧パネル１５から構成されている。また、図２に示すように、筐体後部の中位平面分割板４の下部かつ上から見て中央付近にファン１６が備えられている。
【００１２】
また、図３は、トッププレートと前面パネルを取り外した筐体を示す斜視図であり、同時に空気の流れを示している。次に、空気の流れについて説明する。また、図４は図３の構成を示す平面図であり、同時に空気の流れを示している。図４において、筐体後部の左右のハッチングで示した部分は吸気口１７である。次に、空気の流れについて図３と図４を用いて説明する。ファン１６の吸引力によって前面下部の左右の吸気口１４から吸い込まれた空気は、左右の風路１２を太い白抜きの矢印に従って筐体下部の後部まで導かれ、この後、筐体２の後部壁面に沿って左右に分かれたまま上昇する。中位平面分割板４より上に昇り吸気口１７を通過した空気流は吸気口１７からガイド板１０によって前方へ折り曲げられ、それぞれ、前方に設けられた加熱コイル８を通過して加熱コイル８を冷却する。加熱コイル８を通過した空気は加熱コイル８の外周に沿って外側から回り込んで前方中央部に集まり、この後、後方のヒーター９に向けて流れ込んでヒーター９を冷却する。この後、ヒーター９を冷却した空気は排気口７から上方外部へ排出される。
【００１３】
なお、破線で示すように、ロースター１１を二重構造とすることによりロースター１１と風路１２との間に断熱効果を持つ空気層１８を介在させることになる。従って、吸気口１４から風路１２に入った空気は、ロースターの側面を通過している間、調理庫からの伝熱の影響を受けにくく温度が上昇しないので、加熱コイル８やヒーター９を効率良く冷却することが可能である。また、調理庫からの伝熱を抑えることができるので、耐熱部品を使用する必要がなく安価に構成することができる。
【００１４】
また、ＩＨ加熱調理器の高さは２１０ｍｍモジュールであるが、加熱コイル８やヒーター９が搭載されている中位平面分割板４とトッププレートとの間の間隔を従来よりも狭く配置するようにした。これにより、その分下部風路の高さをより大きく確保することができ、吸気口もこれに対応して大きく確保することで、大量の外気を吸入することができ、冷却効率の向上を図ることができる。
【００１５】
また、調理庫の両側から吸入した冷却風を１つのファンで吸引するので、風路毎にファンを設ける必要がなく、コストを抑えることができる。
【００１６】
実施の形態２．
図５は、この発明の実施の形態２における誘導加熱調理器の斜視図であり、同時に空気の流れを示している。また、図６は図２において空気の流れを追加した図である。また、図７は図５の右上部の一部を切り欠いた図である。空気の流れについては実施の形態１と同様であるため、説明を省略する。次に、この実施の形態２の構成について図５および図７を用いて説明する。ロースター１１を左右両面および上面に発泡スチロールなどの断熱材１９で覆い風路１２と断熱を図ったものである。この場合、空気よりも断熱効果が大きいので、加熱コイル８やヒーター９の冷却効率がさらに向上するとともに耐熱部品を使用する必要がなく安価に構成することができる。
【００１７】
実施の形態３．
図８は、この発明の実施の形態３における誘導加熱調理器の斜視図であり、同時に空気の流れを示している。空気の流れについては実施の形態１と同様である。図８に示すように、左右の風路１２には、下に開口した凹形状（縦断面の形状が逆Ｕ字状）とした一体型ダクト２０が設けられており、このダクト２０により、吸気口１４から流入した外気は効率良く後部に導かれる。また、ダクト２０の上部にロースター１１の制御や電源制御を行う制御用基板２１を搭載することで、ダクト２０の上方の空間を無駄なく利用することができる。
【００１８】
実施の形態４．
図９は、この発明の実施の形態４における誘導加熱調理器の斜視図であり、同時に冷却風の流れを示している。空気の流れについては実施の形態１と同様である。図９に示すように、図８とダクトの構成を除いて同じ構成である。相違点について説明する。図８では、逆Ｕ字状のダクトの上に制御用基板２１を搭載していたが、ロースター１１の制御や電源制御を行う制御用基板２１を搭載するダクトを凹形状（縦断面の形状がＵ字状）あるいは縦断面の形状をＨ字状とした一体型ダクト２２に置き換えたものである。制御用基板２１は前記一体型ダクトの上面を覆うように配置され、一体型ダクト２２の両壁の上面と制御用基板２１の対応部分とをネジやリベットなどで固定する。このような構成により、空気の流れによる冷却効率は実施の形態３と実質同様であり、制御用基板２１の裏に冷却風が接するので制御用基板２１の冷却効率がさらに向上する。
【００１９】
実施の形態５．
図１０はこの発明の実施の形態５における誘導加熱調理器の斜視図であり、同時に空気の流れを示している。実施の形態１と異なる点について説明する。図１０に示すように、左右の吸気口１４に小型のファン２３ａ，２３ｂをそれぞれ取り付けたものである。これにより筐体２の後部に大きなファンを設ける必要がなくなる。また、左右のファンは独立に動作させることができるので、一方の加熱コイルを使用しない場合には対応するファンを連動して停止させるようにすれば、冷却効率を損なわず、省電力を図ることが可能であり、ファンの回転によって発生する騒音も少なくすることができる。
【００２０】
実施の形態６．
図１１はこの発明の実施の形態６における誘導加熱調理器の側面断面図であり、図に示すように風路１２に傾斜板２４を設け、風路１２が奥に進むに従って、狭まるように構成したものである。このように構成することで、空気が奥に進むに従って空気流の速度が高速になり、最高速度の風が加熱コイル８やヒーター９に効率良く供給されるので冷却に寄与しない無駄な風が少なくなり、冷却効率が向上する。
【００２１】
なお、風路の後部の壁面と床面との境を曲面に構成することで、圧力損失を減らせるので、最高速度を維持することが可能になり、冷却効率を向上させることができることはいうまでもない。
【図面の簡単な説明】
【００２２】
【図１】この発明の実施の形態１における誘導加熱調理器の全体構成を示す分解斜視図である。
【図２】この発明の実施の形態１における誘導加熱調理器１の縦断面図（右側面図）である。
【図３】この発明の実施の形態１における誘導加熱調理器のトッププレートと前面パネルを取り外した筐体を示す斜視図である。
【図４】この発明の実施の形態１における誘導加熱調理器のトッププレートと前面パネルを取り外した筐体を示す平面図である。
【図５】この発明の実施の形態２における誘導加熱調理器の斜視図である。
【図６】この発明の実施の形態２における誘導加熱調理器１の縦断面図（右側面図）である。
【図７】この発明の実施の形態２における誘導加熱調理器１の右上部の一部を切り欠いた斜視図である。
【図８】この発明の実施の形態３における誘導加熱調理器の斜視図である。
【図９】この発明の実施の形態４における誘導加熱調理器の斜視図である。
【図１０】この発明の実施の形態５における誘導加熱調理器の斜視図である。
【図１１】この発明の実施の形態６における誘導加熱調理器の側面断面図である。
【符号の説明】
【００２３】
１  誘導加熱調理器、２  筐体、３  トッププレート、４  中位平面分割板、５  操作用パネル、６  ガラス板、７  排気口、８  加熱コイル、９  ヒーター、１０  ガイド板、１１  ロースター、１２  風路、１３  ドアの取手、１４  吸気口、１５  化粧パネル、１６  ファン、１７  吸気口、１８  空気層、１９  断熱材、２０  一体型ダクト（逆Ｕ字状）、２１  制御用基板、２２  一体型ダクト（Ｕ字状）、２３ａ、ｂ  ファン、２４  傾斜板。
【国際調査報告】
2008084648.tif 000014
2008084648.tif 000015
2008084648.tif 000016
2008084648.tif 000017